(57)【特許請求の範囲】
【請求項１】
回転軸を回転駆動する駆動部と、
前記回転軸に設けられ、照射された光を反射させる反射面を有する反射部材と、を備え、
前記反射面には、前記回転軸の軸方向に沿って隆起し、前記回転軸の軸方向視で螺旋状に延びる隆起部が形成され、
前記隆起部は、前記回転軸の径方向に沿う基準面に対して凸となる凸状反射部と、前記基準面に対して凹となる凹状反射部とを形成し、
前記基準面は、前記隆起部の最下部と頂部の前記軸方向における中間点を通る面であり、
前記隆起部の中心を通り且つ前記回転軸の軸方向に沿う断面視で、前記径方向における前記凹状反射部の２つの側面と前記径方向で当該凹状反射部の両側に隣接する前記凸状反射部の各側面とが、前記隆起部が隆起する方向に向けて拡がるように接続されており、
前記隆起部の中心を通り且つ前記回転軸の軸方向に沿う断面視で、前記凸状反射部の側面と前記凹状反射部の側面とが滑らかに連続して接続され、且つ、曲線状をなすように接続されている、光走査装置。
【請求項２】
前記隆起部は、前記回転軸の中心軸線又は当該中心軸線の近傍から前記回転軸の径方向の外側に向けて螺旋状に延びている、請求項１に記載の光走査装置。
【請求項３】
前記隆起部は、当該隆起部の中心に対する径方向で隣接する螺旋上の各点の間隔が等間隔となる螺旋により形成されている、請求項１又は２に記載の光走査装置。
【請求項４】
請求項１乃至３のいずれかに記載の光走査装置と、
前記光走査装置で反射されたコヒーレント光を所定の領域内の全域に対して拡散可能な光学素子と、を備える光学モジュール。
【請求項５】
各位置に入射されたコヒーレント光を、所定の領域内の全域に対して拡散可能な光学素子と、
コヒーレント光が前記光学素子の表面を走査するように、前記光学素子に前記コヒーレント光を照射する照射装置と、を備える照明装置であって、
前記照射装置は、
コヒーレント光を発光する光源と、
前記光源にて発光された前記コヒーレント光が前記光学素子の表面上を走査するように当該コヒーレント光の進行方向を変化させる請求項１乃至３のいずれかに記載の光走査装置と、を備える、照明装置。
【請求項６】
請求項５に記載の照明装置と、
前記所定の領域と重なる位置に配置され、前記照明装置によって照明されて、光変調画像を生成する空間光変調器と、
前記光変調画像を投射部材上に投射する投射光学系と、を備える、投射装置。
【発明の詳細な説明】
【技術分野】
【０００１】
本発明は、照射した光が所望領域上を走査するように当該光の進行方向を変化させる光走査装置、それを備える光学モジュール、照明装置及び投射装置に関する。
【背景技術】
【０００２】
例えばレーザー光源を利用する投射装置では、レーザー光によって特有に生じるスペックルノイズが画質を低下させる場合がある。スペックルノイズを目立たなくさせるためには、偏光、位相、角度および時間などのパラメータを多重化し、スペックルのモードを増やすことが有効である。
【０００３】
これを実現する装置として、例えば特許文献１には、光拡散素子上をレーザー光が走査するように当該レーザー光の進行方向を変化させる光走査装置を有する照明装置および投射装置が開示されている。この特許文献１において、照明装置は光拡散素子からの出射光を照明光として利用し、投射装置は光拡散素子からの出射光に基づき投射する画像を形成する。
【先行技術文献】
【特許文献】
【０００４】
【特許文献１】特開２０１２−１２３３８１号公報
【発明の概要】
【発明が解決しようとする課題】
【０００５】
ところで、走査のためにレーザー光の進行方向を変化させるための手段として、ガルバノスキャナやＭＥＭＳスキャナ等が従来から知られている。
【０００６】
しかしながら、ガルバノスキャナは、大きな角度範囲での走査には適しているが、小さな角度範囲での走査には向いていない。また、ガルバノスキャナは、機構部材への負荷が大きいため、製品寿命が短いという問題がある。逆に、ＭＥＭＳスキャナは、サイズが小さくミラー部分を大型化することが困難である。そのため、ビーム径の大きい光源からのレーザー光や高出力のレーザー光の進行方向を変化させるのには向いていない。
【０００７】
本発明は、上記実情を考慮してなされたものであり、低コストで、かつ耐久性および信頼性に優れ、さらに設計自由度が高いことで、照射する光の照射範囲及び出力を柔軟に設定することができる光走査装置、並びにこの光走査装置を備えた光学モジュール、照明装置及び投射装置を提供することを目的とする。
【課題を解決するための手段】
【０００８】
本発明は、回転軸を回転駆動する駆動部と、前記回転軸に設けられ、照射された光を反射させる反射面を有する反射部材と、を備え、前記反射面には、前記回転軸の軸方向に沿って隆起し、前記回転軸の軸方向視で螺旋状に延びる隆起部が形成され、前記隆起部は、前記回転軸の径方向に沿う基準面に対して凸となる凸状反射部と、前記基準面に対して凹となる凹状反射部とを形成し、前記隆起部の中心を通り且つ前記回転軸の軸方向に沿う断面視で、前記凹状反射部と当該凹状反射部の両側に隣接する前記凸状反射部とが、前記隆起部が隆起する方向に向けて拡がるように接続されている、光走査装置、である。
【０００９】
本発明による光走査装置において、前記隆起部は、前記回転軸の中心軸線又は当該中心軸線の近傍から前記回転軸の径方向の外側に向けて螺旋状に延びていてもよい。
【００１０】
本発明による光走査装置において、前記隆起部は、当該隆起部の中心に対する径方向で隣接する螺旋上の各点の間隔が等間隔となる螺旋により形成されていてもよい。
【００１１】
本発明による光走査装置においては、前記隆起部の中心を通り且つ前記回転軸の軸方向に沿う断面視で、前記凸状反射部の側面と前記凹状反射部の側面とが滑らかに連続して接続されていてもよい。
【００１２】
本発明による光走査装置においては、前記凸状反射部の側面と前記凹状反射部の側面とが曲線状をなすように接続されていてもよい。
【００１３】
また、本発明は、前記光走査装置と、前記光走査装置で反射されたコヒーレント光を所定の領域内の全域に対して拡散可能な光学素子と、を備える光学モジュール、である。
【００１４】
また、本発明は、各位置に入射されたコヒーレント光を、所定の領域内の全域に対して拡散可能な光学素子と、コヒーレント光が前記光学素子の表面を走査するように、前記光学素子に前記コヒーレント光を照射する照射装置と、を備える照明装置であって、前記照射装置は、コヒーレント光を発光する光源と、前記光源にて発光された前記コヒーレント光が前記光学素子の表面上を走査するように当該コヒーレント光の進行方向を変化させる前記光走査装置と、を備える、照明装置、である。
【００１５】
また、本発明は、前記照明装置と、前記所定の領域と重なる位置に配置され、前記照明装置によって照明されて、光変調画像を生成する空間光変調器と、前記光変調画像を投射部材上に投射する投射光学系と、を備える、投射装置、である。
【発明の効果】
【００１６】
本発明によれば、低コストで、かつ耐久性および信頼性に優れ、さらに設計自由度が高いことで、照射する光の照射範囲及び出力を柔軟に設定することができる光走査装置、並びにこの光走査装置を備えた光学モジュール、照明装置及び投射装置を提供できる。
【図面の簡単な説明】
【００１７】
【図１】本発明の一実施の形態による投写型映像表示装置の概略構成を示す図である。
【図２】図１の投写型映像表示装置に設けられる光走査装置の側面図である。
【図３】図２の光走査装置の正面図である。
【図４】図３のＩＶ−ＩＶ線に沿う断面図である。
【図５】反射面の所定位置に光を照射された図２の光走査装置の正面図である。
【図６】図５に示す状態から光走査装置を駆動して反射する光の進行方向を変化させる様子を説明する光走査装置の正面図である。
【図７】図５に示す状態から光走査装置を駆動して反射する光の進行方向を変化させる様子を説明する光走査装置の側面図である。
【図８】図５に示す状態から光走査装置を駆動して進行方向を変化された光を光学素子上で走査させる様子を示した図である。
【図９】図１の投写型映像表示装置に設けられる光学素子、空間光変調器及び投射光学系の概略構成を示す図である。
【図１０】（Ａ）は、図５とは異なる位置に光を照射された光走査装置の正面図であり、（Ｂ）は、（Ａ）に示す位置で反射される光が光学素子を走査する様子を示した図である。
【図１１】（Ａ）は、図５及び図１０（Ａ）とは異なる位置に光を照射された光走査装置の正面図であり、（Ｂ）は、（Ａ）に示す位置で反射される光が光学素子を走査する様子を示した図である。
【図１２】（Ａ）は、反射面の複数の位置に同時に光を照射された図２の光走査装置の正面図であり、（Ｂ）は、（Ａ）に示す各位置で反射される光が光学素子を走査する様子を示した図である。
【図１３】（Ａ）は、反射面の広範囲に面で光を照射された図２の光走査装置の側面図であり、（Ｂ）は、（Ａ）に示す光走査装置の正面図である。
【図１４】（Ａ）は、反射面の広範囲における複数の位置で光を照射された図２の光走査装置の側面図であり、（Ｂ）は、（Ａ）に示す光走査装置の正面図である。
【図１５】（Ａ）は、変形例にかかる光走査装置の側面図であって、反射面の広範囲における複数の位置で光を照射された光走査装置を示す図であり、（Ｂ）は、（Ａ）に示す変形例にかかる光走査装置の正面図であり、（Ｃ）は、（Ｂ）とは異なる照射態様で光を照射された変形例にかかる光走査装置の正面図である。
【図１６】（Ａ）は、他の変形例にかかる光走査装置の側面図であって、反射面の広範囲における複数の位置で光を照射された光走査装置を示す図であり、（Ｂ）は、（Ａ）に示す変形例にかかる光走査装置の正面図である。
【発明を実施するための形態】
【００１８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１９】
また、本件明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２０】
図１は本発明の一実施の形態による投写型映像表示装置１０の概略構成を示す図である。
【００２１】
図１に示す投射型映像表示装置１０は、スクリーン１５と、映像光を投射する投射装置２０と、を有している。投射装置２０は、仮想面上に位置する被照明領域ＬＺを照明する照明装置４０と、被照明領域ＬＺと重なる位置に配置され照明装置４０によって照明される空間光変調器３０と、空間光変調器３０からのコヒーレント光をスクリーン１５に投射する投射光学系２５と、を有している。すなわち、本実施の形態による照明装置４０は、空間光変調器３０を照明するための照明装置として、投射装置２０に組み込まれている。照明装置４０は、コヒーレント光によって被照明領域ＬＺを照明し、且つ、照明装置４０には、スペックルを目立たなくさせる工夫がなされている。
【００２２】
なお、本実施の形態において、コヒーレント光とは、一般的にコヒーレントな光として見做される光のことを意味する。本実施の形態における照明装置４０は後述するようにレーザー光源６２を有するが、本実施の形態では、レーザー光源６２から照射されるレーザー光をコヒーレント光として扱うものとする。
【００２３】
以下、投写型映像表示装置１０の各構成について説明する。まず、照明装置４０について説明する。図１に示すように、照明装置４０は、光の進行方向を被照明領域ＬＺへ向ける光学素子５０と、光学素子５０にコヒーレント光を照射する照射装置６０と、を有している。照射装置６０は、コヒーレント光を光学素子５０上で走査させる。したがって、ある瞬間に、照射装置６０によってコヒーレント光を照射されている光学素子５０上の領域は、光学素子５０の表面の一部分となる。
【００２４】
照射装置６０は、特定波長帯域のコヒーレント光を射出する光源装置６１と、光源装置６１からの光の進行方向を光学素子５０に向ける光走査装置７０と、を有している。光源装置６１は、コヒーレント光を生成する光源６２、例えばレーザー光源６２を有している。光走査装置７０は、平行光束をなす光線の光路をたどるようにして、光源装置６１の光源６２で生成されたコヒーレント光を反射させて光学素子５０へ照射するようになっている。
【００２５】
光走査装置７０は、回転軸７１を有し当該回転軸７１を回転駆動する駆動部７２と、回転軸７１に設けられ、回転軸７１の径方向に沿って延びて照射された光を反射させる反射面７４を有する反射部材７３と、駆動部７２に接続された制御器７５と、を有している。駆動部７２は例えばモータからなり、回転軸７１をその中心軸線Ｒａを中心に回転駆動する。回転軸７１が回転することにより、反射部材７３も回転軸７１と一体に回転するようになっている。制御器７５は、駆動部７２の回転数を制御することが可能となっている。制御器７５は、例えば、回転数等を光学的に検出する光センサ、磁気的に検出するホールセンサ、機械的に検出するエンコーダなどの検出信号に基づいて、回転軸７１の回転数を制御してもよい。なお、駆動部７２がモータである場合には、回転速度および信頼性の観点からブラシレスモータが採用されることが好ましい。
【００２６】
図２は光走査装置７０の側面図を示し、同図に示すように、本実施の形態における反射部材７３は、回転軸７１の先端部に固定された円板状の支持板部７３Ａと、支持板部７３Ａ上に設けられた反射層７３Ｂと、を有しており、反射層７３Ｂの表面に上述の反射面７４が形成されている。なお、図２では、説明の便宜上、反射層７３Ｂが断面にて示されている。反射層７３Ｂは、例えばアルミニウムや銀や誘電多層膜等から形成され得る。また、支持板部７３Ａは、ガラスや金属や樹脂から形成され得るが、質量が軽いほど好ましい。また、支持板部７３Ａと回転軸７１との間には、固定強度を高めるための部材が設けられてもよい。
【００２７】
図３は光走査装置７０の正面図を示しており、図４は図３のＩＶ−ＩＶ線に沿う断面を示している。図３及び図４に示すように、本実施の形態に係る光走査装置７０では、反射面７４に、回転軸７１の軸方向に沿って隆起し、回転軸７１の軸方向視（正面視）で螺旋状に延びる隆起部８１が形成されている。なお、図３において、太線の実線は隆起部８１の頂部を示し、細線の実線は隆起部８１の最下部（起点）を示している。また、図４は、詳しくは螺旋状の隆起部８１の中心を通り且つ回転軸７１の軸方向に沿う断面を示している。
【００２８】
本実施の形態における隆起部８１は、回転軸７１の軸方向視で、回転軸７１の中心軸線Ｒａから回転軸７１の径方向の外側に向けて螺旋状に延びている。また、隆起部８１は、その中心（この例では中心軸線Ｒａ）に対する径方向で隣接する螺旋上の各点の間隔が等間隔となる螺旋により形成されている。すなわち、回転軸７１の軸方向視において、中心軸線Ｒａの座標を基準点ｘ＝０，ｙ＝０とした場合に、隆起部８１は、ｘ＝ａ×θ×ｃｏｓθ及びｙ＝ａ×θ×ｓｉｎθで表される螺旋に沿って延びている。なお、ａは任意の定数であり、θの単位はラジアンである。
【００２９】
なお、本実施の形態における隆起部８１は、回転軸７１の軸方向視で、回転軸７１の中心軸線Ｒａから延びるが、隆起部８１は中心軸線Ｒａの径方向外側の近傍から延びていてもよい。また、本実施の形態における隆起部８１は、等間隔螺旋の形状に形成されるが、例えば径方向外側に向かうほど間隔が大きくなる螺旋状などであっても構わない。
【００３０】
このような隆起部８１によって、反射面７４には、図４に示すように、回転軸７１の径方向に沿う二点鎖線で示す基準面ＳＰに対して凸となる凸状反射部７４Ａと、基準面ＳＰに対して凹となる凹状反射部７４Ｂとが形成される。そして、各反射部７４Ａ，７４Ｂは、螺旋状に延びることになる。そして、この反射面７４においては、図４に示すように、凹状反射部７４Ｂと当該凹状反射部７４Ｂの両側に隣接する凸状反射部７４Ａとが、隆起部８１が隆起する方向に向けて拡がるように接続される形状に形成されている。
【００３１】
なお、上述の基準面ＳＰは、隆起部８１の最下部と頂部との間において径方向に沿って延びる面であり、本実施の形態においては、隆起部８１の最下部と頂部の回転軸７１の軸方向における中間点を通る面となっている。また、図４に示すように、本実施の形態においては、凸状反射部７４Ａの側面と凹状反射部７４Ｂの側面とが滑らかに連続して接続されており、具体的に本例では、凸状反射部７４Ａの側面と凹状反射部７４Ｂの側面とが曲線状をなすように接続されている。
【００３２】
このような反射面７４を有する光走査装置７０を用いた場合、駆動部７２が回転軸７１を回転させることで、光源６２から照射された光が光学素子５０上を走査するように当該光の進行方向を変化させることが可能となる。すなわち、反射面７４においては、反射面７４が回転軸７１の中心軸線Ｒａを中心として回転すると、凸状反射部７４Ａ及び凹状反射部７４Ｂの側面によって、その向きが二次元的に順次変化する領域が生じる。このような領域は、回転軸７１の回転が定速であれば、周期的に向きを変化させることになる。これにより、光源６２から照射された光が光学素子５０上を走査するように当該光の進行方向を変化させることが可能となる。なお、光の進行方向を変化させる軌道は、凸状反射部７４Ａの側面と凹状反射部７４Ｂの側面とが連続する傾斜形状によって、円形軌道や、往復軌道などを決定することができる。
【００３３】
図５乃至図８を用いて、反射される光の進行方向の変化および当該光による走査の様子を具体的に説明する。図５は、反射面７４の所定位置ＤＰ１にコヒーレント光Ｌｃ１を照射された光走査装置７０の正面図である。図５においては、所定位置ＤＰ１に、主として凸状反射部７４Ａが位置している。この図５に示す状態から所定角度だけ紙面時計回りに回転軸７１が回転すると、図６に示すように、所定位置ＤＰ１には、主として凸状反射部７４Ａと凹状反射部７４Ｂとの境界が位置する状態となる。この場合、所定位置ＤＰ１に照射されるコヒーレント光Ｌｃ１を反射させる反射面７４上の領域の向きは、凸状反射部７４Ａから凹状反射部７４Ｂへの移行によって順次変化する。これにより、図７の矢印に示すように、反射されるコヒーレント光Ｌｃ１の進行方向が変化される。その結果、図８の矢印に示すように、コヒーレント光Ｌｃ１が光学素子５０上を走査するように当該コヒーレント光Ｌｃ１の進行方向を変化させることが可能となる。
【００３４】
また、図１０（Ａ）は、図５とは異なる所定位置ＤＰ２にコヒーレント光Ｌｃ２を照射された光走査装置７０の正面図であり、（Ｂ）は、図１０（Ａ）に示す所定位置ＤＰ２で反射されるコヒーレント光Ｌｃ２が光学素子５０を走査する様子を示した図である。図１１（Ａ）は、図５及び図１０（Ａ）とは異なる所定位置ＤＰ３にコヒーレント光Ｌｃ３を照射された光走査装置７０の正面図であり、（Ｂ）は、図１１（Ａ）に示す所定位置ＤＰ３で反射されるコヒーレント光Ｌｃ３が光学素子５０を走査する様子を示した図である。これらの図に示すように、反射面７４においては、光学素子５０上をコヒーレント光が走査するように任意の位置に照射されたコヒーレント光の進行方向を変化させることができる。
【００３５】
また、図１２（Ａ）は、図５及び図１０及び図１１に示した反射面７４における所定位置ＤＰ１〜ＤＰ３に同時にコヒーレント光を照射した場合の光走査装置７０の正面図であり、図１２（Ｂ）は、この場合において反射されるコヒーレント光が光学素子５０を走査する様子を示した図である。反射面７４に照射する光のパターンは任意に設定可能である。
【００３６】
次に、光学素子５０について説明する。図１に示す光学素子５０は、各領域への入射光を当該領域の位置に応じた特定の方向に向ける光路制御機能を有している。ここで説明する光学素子５０は、各領域への入射光の進行方向を補正して所定の領域ＬＺに向ける。この領域が、被照明領域ＬＺとなる。すなわち、光学素子５０の入射面を平面分割してなる各領域に照射された照射装置６０からの光は、光学素子５０を経由した後に、少なくとも一部分において重なり合う領域を照明するようになる。
【００３７】
図９には光学素子５０が示されている。図９に示す光学素子５０は、照射装置６０からの光の入射方向に対応して形成されたレンズアレイ５１を有する。ここで「レンズアレイ」とは、単位レンズとも呼ばれる小さなレンズの集合体であり、屈折または反射によって光の進行方向を偏向させる素子として機能する。図示された例において、光学素子５０は、各単位レンズに対応する各領域に入射する光を、それぞれ、少なくとも被照明領域ＬＺの全域に入射するように拡散させる。すなわち、光学素子５０は、各領域に照射装置６０から入射する光を拡散させることによって、同一の被照明領域ＬＺを照明する。
【００３８】
本実施の形態では、図９に示すように、光学素子５０が、レンズアレイ５１と、レンズアレイ５１に対向して配置されたコンデンサレンズ５２と、を有している。光学素子５０においては、レンズアレイ５１が、光学素子５０の最入光側に配置されており、照射装置６０からの光を受ける。レンズアレイ５１をなす各単位レンズが、入射された光を、コンデンサレンズ５２側に向けて拡散させる。そして、コンデンサレンズ５２は、レンズアレイ５１をなす各単位レンズからの光を、被照明領域ＬＺに向ける。そして、本実施の形態におけるコンデンサレンズ５２によれば、レンズアレイ５１をなす各単位レンズからの光を、同一の被照明領域ＬＺのみに向けることができ、各方向からの照明光を被照明領域ＬＺに重畳させる。なお、本実施の形態では、光学素子５０がレンズアレイ５１とコンデンサレンズ５２とで、光走査装置７０から照射された光を同一の被照明領域ＬＺのみに向けるように照射するが、このような光学素子５０は例えばホログラム記録素子等によっても構成可能である。
【００３９】
次に、空間光変調器３０について説明する。空間光変調器３０は、図１に示すように被照明領域ＬＺに重ねて配置される。そして、空間光変調器３０は、照明装置４０によって照明され、変調画像を形成する。照明装置４０からの光は、上述したように被照明領域ＬＺの全域のみを照明する。したがって、空間光変調器３０の入射面は、照明装置４０によって光を照射される被照明領域ＬＺと同一の形状および大きさであることが好ましい。この場合、照明装置４０からの光を、変調画像の形成に高い利用効率で利用することができるからである。
【００４０】
空間光変調器３０は、特に制限されることなく、種々の公知の空間光変調器を利用することができる。例えば、偏光を利用することなく変調画像を形成する空間光変調器、例えばデジタルミラーデバイス（ＤＭＤ）や、偏光を利用して変調画像を形成する透過型の液晶マイクロディスプレイや反射型のＬＣｏＳ（Ｌｉｑｕｉｄ  Ｃｒｙｓｔａｌ  Ｏｎ  Ｓｉｌｉｃｏｎ（登録商標））を、空間光変調器３０として用いることができる。
【００４１】
図１に示された例のように、空間光変調器３０が、透過型の液晶マイクロディスプレイである場合、照明装置４０によって面状に照明される空間光変調器３０が、画素毎にコヒーレント光を選択して透過させることにより、空間光変調器３０をなすディスプレイの画面上に変調画像が形成されるようになる。こうして得られた変調画像は、最終的には、投射光学系２５によって、等倍で或いは変倍されてスクリーン１５へ投射される。これにより、観察者は、スクリーン１５上に投射された当該画像を観察することができる。スクリーン１５は、透過型スクリーンとして構成されていてもよいし、反射型スクリーンとして構成されていてもよい。
【００４２】
次に、以上の構成からなる照明装置４０、投射装置２０および投射型映像表示装置１０の作用について説明する。
【００４３】
まず、照射装置６０は、光学素子５０上を走査するようにして、光学素子５０へコヒーレント光を照射する。具体的には、光源装置６１の光源６２で一定方向に沿って進む特定波長帯域のコヒーレント光が生成され、このコヒーレント光が光走査装置７０で進行方向を変えられる。光走査装置７０は、周期的な動作を行っており、この結果、光学素子５０上でのコヒーレント光の入射位置も、周期的に変化するようになる。
【００４４】
光学素子５０の各領域に入射したコヒーレント光は、それぞれ、光学素子５０での光路調整機能により、被照明領域ＬＺに重畳されるようになる。すなわち、照射装置６０から光学素子５０の各領域に入射したコヒーレント光は、それぞれ、光学素子５０で拡散ないしは拡げられて、被照明領域ＬＺの全域に入射するようになる。このようにして、照射装置６０は、被照明領域ＬＺをコヒーレント光で照明することができる。
【００４５】
図１及び図９に示すように、投射装置２０においては、照明装置４０の被照明領域ＬＺと重なる位置に空間光変調器３０が配置されている。このため、空間光変調器３０は、照明装置４０によって面状に照明され、画素毎にコヒーレント光を選択して透過させることにより、映像（画像）を形成するようになる。この映像は、投射光学系２５によってスクリーン１５に投射される。スクリーン１５に投射されたコヒーレント光は、拡散され、観察者に映像として認識されるようになる。
【００４６】
上述した照明装置４０では、コヒーレント光が、光学素子５０上を走査するようにして、光学素子５０に照射される。また、照射装置６０から光学素子５０の各領域に入射したコヒーレント光は、それぞれ、同一の被照明領域ＬＺの全域をコヒーレント光で照明するが、図９に示すように、当該被照明領域ＬＺを照明するコヒーレント光の照明方向は互いに異なる。そして、コヒーレント光が入射する光学素子５０上の領域が経時的に変化するため、被照明領域ＬＺへのコヒーレント光の入射方向も経時的に変化する。
【００４７】
被照明領域ＬＺを基準にして考えると、被照明領域ＬＺ内の各領域には絶えずコヒーレント光が入射してくるが、その入射方向は、常に変化し続けることになる。結果として、空間光変調器３０の透過光によって形成された映像の各画素をなす光が、図９の実線と一点鎖線で示すコヒーレント光のように、経時的に光路を変化させながら、スクリーン１５の特定の位置に投射されるようになる。
【００４８】
以上のことから、上述した照明装置４０を用いることによれば、映像を表示しているスクリーン１５上の各位置において時間的にコヒーレント光の入射方向が変化していき、且つ、この変化は、人間の目で分解不可能な速さであり、結果として、人間の目には、相関の無いコヒーレント光の散乱パターンが多重化されて観察されることになる。したがって、各散乱パターンに対応して生成されたスペックルが重ねられ平均化されて、観察者に観察されることになる。これにより、スクリーン１５に表示されている映像を観察する観察者に対して、スペックルを極めて効果的に目立たなくさせることができる。
【００４９】
なお、人間によって観察される従来のスペックルには、スクリーン１５上でのコヒーレント光の散乱を原因とするスクリーン側でのスペックルだけでなく、スクリーンに投射される前におけるコヒーレント光の散乱を原因とする投射装置側でのスペックルも発生し得る。この投射装置側で発生したスペックルパターンは、空間光変調器３０を介してスクリーン１５上に投射されることによって、観察者に認識され得るようにもなる。しかしながら、本実施の形態によれば、コヒーレント光が光学素子５０上を連続的に走査し、そして光学素子５０の各領域に入射したコヒーレント光が、それぞれ、空間光変調器３０が重ねられた被照明領域ＬＺの全域を照明するようになる。すなわち、光学素子５０が、スペックルパターンを形成していたそれまでの波面とは別途の新たな波面を形成し、複雑且つ均一に、被照明領域ＬＺ、さらには、空間光変調器３０を介してスクリーン１５を照明するようになる。このような光学素子５０での新たな波面の形成により、投射装置側で発生するスペックルパターンは不可視化されることになる。
【００５０】
そして、以上に説明した本実施の形態の光走査装置７０によれば、駆動部７２が回転軸７１を回転させて反射面７４を回転させることにより、反射面７４に照射されたコヒーレント光が光学素子５０上を走査するように当該コヒーレント光の進行方向が変化される。これにより、上述したように、スクリーン１５に表示されている映像におけるスペックル（スペックルノイズ）を極めて効果的に目立たなくさせることができる。
【００５１】
そして、この光走査装置７０では、反射面７４に螺旋状に延びる隆起部８１が形成され、これにより、反射面７４に各々が螺旋状に延びる凸状反射部７４Ａと凹状反射部７４Ｂとが形成される。そして、これら凸状反射部７４Ａと凹状反射部７４Ｂを形成することで、照射されたコヒーレント光が光学素子５０上を走査するように当該コヒーレント光の進行方向を変化させて反射することができる。このような反射面７４では、反射部材７３が全体として平板状に形成された場合であっても、一つの軸を中心として回転させれば、照射されたコヒーレント光が光学素子５０上を走査するように当該コヒーレント光の進行方向を変化させることができる。そのため、回転軸７１及び駆動部７２に過大な偏心荷重がかかることを防止できる。また、反射面７４は、パターニングや型成形によって、種々のサイズに容易に製造することができ、且つ凸状反射部７４Ａおよび凹状反射部７４Ｂの形状を柔軟に設定することができる。
【００５２】
したがって、この光走査装置７０によれば、低コストで、かつ耐久性および信頼性に優れ、さらに設計自由度が高いことで、照射する光の照射範囲及び出力を柔軟に設定することができる。なお、反射部材７３は、重心位置を回転軸７１の中心軸線Ｒａ上に位置させて回転軸７１に固定されることが好ましい。この場合には、回転軸７１及び駆動部７２に過大な偏心荷重がかかることが効果的に防止される。
【００５３】
また、本実施の形態では、隆起部８１が、回転軸７１の中心軸線Ｒａから回転軸７１の径方向の外側に向けて螺旋状に延びている。この場合、隆起部８１が中心軸線Ｒａから比較的離れた位置から延びる場合に比べて、回転時に生じる偏心荷重を抑制し易くなり、耐久性および信頼性を向上させることができる。
【００５４】
また、隆起部８１は、当該隆起部８１の中心に対する径方向で隣接する螺旋上の各点の間隔が等間隔となる螺旋により形成されている。これにより、反射面７４によって反射されるコヒーレント光の軌道のばらつきを抑制できることで、走査対象の領域に照射されるコヒーレント光のムラを抑制できる。
【００５５】
また、隆起部８１の中心を通り且つ回転軸７１の軸方向に沿う断面視で、凸状反射部７４Ａの側面と凹状反射部７４Ｂの側面とが滑らかに連続して接続されている。とりわけ、本実施の形態では、凸状反射部７４Ａの側面と凹状反射部７４Ｂの側面とが曲線状をなすように接続されている。これにより、光学素子５０上を走査するコヒーレント光の挙動を滑らかにすることができる。
【００５６】
以上、本発明の一実施の形態を説明したが、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５７】
例えば、上述の実施の形態では、反射面７４の一つの領域又は三つの領域にコヒーレント光を照射する例を説明したが、これらの例に代えて、例えば図１３に示すように、反射面７４の広範囲に面でコヒーレント光を照射してもよい。また、図１４に示すように、反射面７４の広範囲における複数の位置でコヒーレント光を照射してもよい。
【００５８】
また、図１５（Ａ）は、回転軸７１が反射部材７３を貫通した状態で反射部材７３を固定した変形例を示している。このような構成においては、回転軸７１が反射部材７３を安定した状態で保持するため、光走査装置の耐久性および信頼性を向上できる。このような構成においては、反射面７４における回転軸７１が露出した領域以外の領域にコヒーレント光を照射する必要が生じる。この変形例においては、例えば、コヒーレント光は、図１５（Ｂ）のハッチングを付した領域に示されるように、回転軸７１の周りの複数の領域に照射されてもよい。また、図１５（Ｃ）のハッチングが付された領域に示すように、コヒーレント光は、回転軸７１から外れた１つの領域に照射されてもよい。
また、図１６（Ａ）は、回転軸７１が反射部材７３を貫通した状態で反射部材７３を固定し、且つ、回転軸７１の先端に、円板状の支持板部８３Ａが設けられ、支持板部８３Ａ上に反射層８３Ｂが設けられ、反射層８３Ｂの表面に反射面８４が形成された変形例を示している。図１６（Ｂ）も参照し、反射面８４には、反射面７３に形成された隆起部８１と同様に、回転軸７１の軸方向に沿って隆起し、回転軸７１の軸方向視（正面視）で螺旋状に延びる隆起部９１が形成されている。このような隆起部９１によって、反射面８４には、回転軸７１の径方向に沿う二点鎖線で示す基準面ＳＰ’に対して凸となる凸状反射部８４Ａと、基準面ＳＰ’に対して凹となる凹状反射部８４Ｂとが形成される。このような変形例においては、コヒーレント光は、図１６（Ｂ）のハッチングを付した領域に示されるように、回転軸７１の周りの複数の領域に照射されるとともに、中央の反射面８４に照射されてもよい。
【００５９】
また、上述した実施の形態において、光源装置６１は、単一の光源６２を有していた。しかしながら、この例に限られず、光源装置６１は、複数の光源を含むようにしてもよい。一例として、光源装置６１が、複数のレーザー光源を含むレーザーアレイとして構成されていてもよい。光源装置６１に含まれる複数の光源は、互いに異なる波長帯域の光を生成するようにしてもよいし、同一波長帯域の光を生成するようにしてもよい。異なる波長帯域の光源を用いた場合、加法混色により、単一の光源では生成することができない色の光によって、被照明領域ＬＺを照明することができる。また、上述の複数の光源が、赤色波長帯域の光、緑色波長帯域の光、青色波長帯域の光をそれぞれ生成する場合には、白色光にて被照明領域ＬＺを照明することができる。
【００６０】
さらに上述した実施の形態では、照明装置４０によって照明される被照明領域ＬＺに空間光変調器３０が配置されていたが、この例に限られない。例えば、被照明領域ＬＺに均一化光学系の入射面が配置されていてもよい。この場合、均一化光学系に入射した光は、全反射を繰り返しながら均一化光学系内を伝搬して、均一化光学系から出射する。このような均一化光学系の出射面上の各位置での照度は、均一化されることになる。均一化光学系として、例えばインテグレーターロッドを用いることができる。空間光変調器３０は、例えば均一化光学系の出射面に直面して配置することができる。
【００６１】
さらに、上述した実施の形態において、照明装置４０が、投射装置２０及び投射型映像表示装置１０に組み込まれた例を示したが、これに限られず、スキャナ用の照明装置等、種々の用途に適用され得る。
【００６２】
なお、本発明の態様は、上述した個々の実施の形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６３】
１０  投射型映像表示装置
１５  スクリーン
２０  投射装置
２５  投射光学系
３０  空間光変調器
４０  照明装置
５０  光学素子
５１  レンズアレイ
５２  コンデンサレンズ
６０  照射装置
６１  光源装置
６２  光源
７０  光走査装置
７１  回転軸
７２  駆動部
７３  反射部材
７３Ａ  支持板部
７３Ｂ  反射層
７４  反射面
７４Ａ  凸状反射部
７４Ｂ  凹状反射部
７５  制御器
８１  隆起部
Ｒａ  中心軸線
ＬＺ  被照明領域
ＳＰ  基準面
【図１】
0006593696.tif 000002
【図２】
0006593696.tif 000003
【図３】
0006593696.tif 000004
【図４】
0006593696.tif 000005
【図５】
0006593696.tif 000006
【図６】
0006593696.tif 000007
【図７】
0006593696.tif 000008
【図８】
0006593696.tif 000009
【図９】
0006593696.tif 000010
【図１０】
0006593696.tif 000011
【図１１】
0006593696.tif 000012
【図１２】
0006593696.tif 000013
【図１３】
0006593696.tif 000014
【図１４】
0006593696.tif 000015
【図１５】
0006593696.tif 000016
【図１６】
0006593696.tif 000017